(57)【要約】【課題】運用後に新たに製品化等されたものを含む様々な光源について、適切な初期照度補正を行う。【解決手段】照明制御システム１０において、ワイヤレスリモコン１７や設定装置１８は、設定データの入力をユーザから受け付ける。設定データは、照明装置１３の光源の累積点灯時間の経過に伴って当該光源の調光率を変化させるパターンを設定するデータである。照明装置１３は、コントローラ１１及び通信ユニット１２を介して設定データを取得する。照明装置１３は、光源の累積点灯時間を計測する。そして、照明装置１３は、取得した設定データにより設定されたパターンに合わせて、計測した累積点灯時間に対応する光源の調光率を求め、求めた調光率で光源を調光する。【選択図】図１
2013165004.tif 000002
【特許請求の範囲】
【請求項１】
照明器具に取り付けられた光源を調光する照明制御システムにおいて、
前記光源の累積点灯時間の経過に伴って前記光源の調光率を変化させるパターンを設定する設定データの入力をユーザから受け付ける入力部と、
前記入力部に入力された設定データを記憶する記憶部と、
前記光源の累積点灯時間を計測する計測部と、
前記記憶部に記憶された設定データにより設定されたパターンに合わせて、前記計測部で計測された累積点灯時間に対応する前記光源の調光率を求め、求めた調光率で前記光源を調光する調光部と
を備えることを特徴とする照明制御システム。
【請求項２】
前記入力部は、前記設定データを手動で入力するための入力装置と接続され、前記入力装置を介して前記設定データをユーザに直接入力させることを特徴とする請求項１の照明制御システム。
【請求項３】
前記入力部は、前記光源として使用可能な複数種類の光源のそれぞれに対して前記設定データを予め記憶する記憶装置と接続され、画面上で前記光源の種類をユーザに選択させ、選択された種類に対応する前記設定データを前記記憶装置から取得することを特徴とする請求項１又は２の照明制御システム。
【請求項４】
前記入力部は、前記設定データを予め記憶する記憶装置が着脱自在に装着され、前記記憶装置がユーザにより装着された場合、前記設定データを前記記憶装置から取得することを特徴とする請求項１から３のいずれかの照明制御システム。
【請求項５】
前記入力部は、前記設定データとして、前記光源の累積点灯時間を複数の時間範囲に分けて時間範囲ごとに前記光源の調光率の変化率を設定するデータの入力を受け付け、
前記調光部は、前記複数の時間範囲のうち前記計測部で計測された累積点灯時間が該当する時間範囲に対し前記記憶部に記憶された設定データにより設定された前記光源の調光率の変化率に合わせて、前記光源の調光率を求めることを特徴とする請求項１から４のいずれかの照明制御システム。
【請求項６】
前記入力部は、さらに、前記設定データを使用する第１モードと前記設定データを使用しない第２モードとを択一的に選択する操作をユーザから受け付け、
前記調光部は、前記入力部で前記第２モードが選択された場合、前記計測部で計測された累積点灯時間に関わらず、予め設定された調光率又は任意のタイミングで設定される調光率で前記光源を調光することを特徴とする請求項１から５のいずれかの照明制御システム。
【発明の詳細な説明】
【技術分野】
【０００１】
本発明は、照明制御システムに関するものである。
【背景技術】
【０００２】
器具種類選択ＳＷと、器具種類選択ＳＷによって選択される器具種類補正テーブルとを設けて、器具や光源の種類によって時間の経過に対する光束低下特性が異なるために、器具や光源の種類に応じて照度補正を行うように構成された照明装置がある（例えば、特許文献１参照）。
【先行技術文献】
【特許文献】
【０００３】
【特許文献１】特開２０００−３４８８７６号公報
【発明の概要】
【発明が解決しようとする課題】
【０００４】
光源の種類は蛍光灯、ＬＥＤ、有機ＥＬ等、多様化が進んでおり、既存の器具に取り付けられた光源を異なる種類の光源に交換する場合があるが、このとき、光源の種類によって特性が異なることを考慮して初期照度補正を行う必要がある。また、特にＬＥＤ等の特性は日進月歩であるため、光源を同じ種類の光源に交換する場合でも、光源の製品（型）によって特性が異なることを考慮して初期照度補正を行う必要がある。
【０００５】
従来の照明装置は、対応する器具種類補正テーブルが記憶されていない光源の種類あるいは製品については、適切な初期照度補正を行うことができないという課題があった。
【０００６】
本発明は、例えば、運用後に新たに製品化等されたものを含む様々な光源について、適切な初期照度補正を行うことを目的とする。
【課題を解決するための手段】
【０００７】
本発明の一の態様に係る照明制御システムは、
照明器具に取り付けられた光源を調光する照明制御システムであり、
前記光源の累積点灯時間の経過に伴って前記光源の調光率を変化させるパターンを設定する設定データの入力をユーザから受け付ける入力部と、
前記入力部に入力された設定データを記憶する記憶部と、
前記光源の累積点灯時間を計測する計測部と、
前記記憶部に記憶された設定データにより設定されたパターンに合わせて、前記計測部で計測された累積点灯時間に対応する前記光源の調光率を求め、求めた調光率で前記光源を調光する調光部とを備える。
【発明の効果】
【０００８】
本発明の一の態様によれば、照明制御システムにおいて、入力部が設定データの入力をユーザから受け付け、調光部が設定データにより設定されたパターンに合わせて、累積点灯時間に対応する光源の調光率を求め、求めた調光率で光源を調光することにより、運用後に新たに製品化等されたものを含む様々な光源について、適切な初期照度補正を行うことが可能となる。
【図面の簡単な説明】
【０００９】
【図１】実施の形態１に係る照明制御システムの構成を示すブロック図。
【図２】実施の形態１に係る通信ユニットに接続された照明装置（ＬＥＤの場合）の構成を示すブロック図。
【図３】実施の形態１に係る通信ユニットに接続された照明装置（蛍光灯の場合）の構成を示すブロック図。
【図４】実施の形態１に係る照明制御システムの動作を示すフローチャート。
【図５】実施の形態１に係る制御ユニットの初期照度補正カーブ（ＬＥＤの場合）の例を示すグラフ。
【図６】実施の形態１に係る制御ユニットの初期照度補正カーブ（蛍光灯の場合）の例を示すグラフ。
【図７】実施の形態１に係る制御ユニットの初期照度補正カーブ（調光率の上昇度が一定の場合）の例を示すグラフ。
【図８】実施の形態１に係る設定データの例を示す表。
【図９】実施の形態２に係る照明制御システムの構成を示すブロック図。
【図１０】実施の形態３に係る照明制御システムの構成を示すブロック図。
【図１１】実施の形態４に係る照明制御システムの通信シーケンス（初期照度補正を有効にした場合）の例を示す図。
【図１２】実施の形態４に係る照明制御システムの通信シーケンス（初期照度補正を無効にした場合）の例を示す図。
【発明を実施するための形態】
【００１０】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る照明制御システム１０の構成を示すブロック図である。
【００１２】
図１において、照明制御システム１０は、コントローラ１１、通信ユニット１２、照明装置１３、人感センサ１４、照度センサ１５、壁スイッチ１６、ワイヤレスリモコン１７、設定装置１８を備える。
【００１３】
コントローラ１１は、照明制御装置の例であり、壁スイッチ１６の操作、人感センサ１４の検知状態、照度センサ１５によりモニタした照度値等に応じて、照明装置１３の点滅（点灯／消灯）、調光状態を制御する。また、コントローラ１１は、初期照度補正用の設定データを記憶する記憶部３１を備える。本実施の形態において、設定データは、照明装置１３の光源の累積点灯時間の経過に伴って当該光源の調光率を変化させるパターンを設定するデータである。設定データの具体例については後述する。記憶部３１は、例えば、不揮発性メモリ（ＲＯＭ、フラッシュメモリ等）である。
【００１４】
通信ユニット１２は、コントローラ１１と無線通信又は有線通信を行う。この通信を上位通信という。また、通信ユニット１２は、照明装置１３、人感センサ１４、照度センサ１５、壁スイッチ１６と信号線を介して２線式シリアル通信（双方向通信）を行う。この通信を下位通信という。通信ユニット１２は、上位通信と下位通信との間のゲートウェイ機能をもつ。具体的には、通信ユニット１２は、無線通信又は有線通信によりコントローラ１１から受信したデータ設定、モニタリング指示、照明制御（点灯、消灯、調光等）に係る信号を２線式有線シリアル信号に変換する機能をもち、それぞれの照明装置１３、人感センサ１４、照度センサ１５、壁スイッチ１６に予め整理番号となる個別アドレスを割り付けて、個別にデータ設定、モニタリング指示、照明制御を行う。
【００１５】
なお、コントローラ１１と通信ユニット１２とが一体になって、コントローラ１１が照明装置１３、人感センサ１４、照度センサ１５、壁スイッチ１６と直接通信するようにしてもよい。また、通信ユニット１２（あるいは通信ユニット１２と一体のコントローラ１１）と照明装置１３、人感センサ１４、照度センサ１５、壁スイッチ１６との間の通信は、有線シリアル通信以外の任意の通信方式で行ってもよい。
【００１６】
照明装置１３、人感センサ１４、照度センサ１５、壁スイッチ１６は、図１に示すように、１台の通信ユニット１２にそれぞれ１台の機器が接続されてもよいし、１台の通信ユニット１２に複数の機器（例えば、照明装置１３）が接続されてもよいし、１台の通信ユニット１２にその他の任意の組み合わせで接続されてもよい。即ち、照明制御システム１０の全体構成は、構築される照明システムの態様に応じて決められる。
【００１７】
照明装置１３は、ＬＥＤ、蛍光灯、有機ＥＬ、あるいは、その他の光源と、この光源を点灯させる点灯回路とを備えた器具である。照明装置１３は、コントローラ１１から通信ユニット１２を介して送信される信号（照明制御に係る信号）に応じて、光源を点灯又は消灯したり、光源の明るさ（出力）を変えたりする。
【００１８】
人感センサ１４は、コントローラ１１から通信ユニット１２を介して送信される信号（データ設定やモニタリング指示に係る信号）に応じて、周囲の特定エリア（検知エリア）内における人の在／不在を検知し、その結果を示す検知情報をコントローラ１１に通知する。
【００１９】
照度センサ１５は、コントローラ１１から通信ユニット１２を介して送信される信号（データ設定やモニタリング指示に係る信号）に応じて、周囲の特定エリア内における照度（例えば、机上面の照度）を測定し、その結果を示す照度情報をコントローラ１１に通知する。
【００２０】
壁スイッチ１６は、照明装置１３の光源の点灯制御や調光制御のためにユーザによって操作される（例えば、ボタンが押下される）。壁スイッチ１６は、ユーザによって操作されると、その状態（例えば、ボタンの押下）を示す操作情報をコントローラ１１に通知する。
【００２１】
ワイヤレスリモコン１７は、コントローラ１１や通信ユニット１２と無線通信を行い、ユーザの遠隔操作によって照明装置１３の光源の点灯制御や調光制御、コントローラ１１や通信ユニット１２を含む各機器の状態モニタやデータ設定を行う。また、ワイヤレスリモコン１７は、設定データの入力をユーザから受け付ける入力部３２ａを備える。
【００２２】
設定装置１８は、例えばＰＣ（パーソナルコンピュータ）であり、コントローラ１１や通信ユニット１２と無線通信又は有線通信を行い、画面から照明装置１３の光源の点灯制御や調光制御、コントローラ１１や通信ユニット１２を含む各機器の状態モニタやデータ設定を行う。設定装置１８は、ワイヤレスリモコン１７の入力部３２ａと同様の入力部３２ｂを備える。
【００２３】
ワイヤレスリモコン１７や設定装置１８が備える入力部３２ａ，３２ｂは、設定データを手動で入力するための入力装置（例えば、ワイヤレスリモコン１７であればボタンやタッチパネル等、ＰＣの設定装置１８であればマウスやキーボード等）と接続されている。入力部３２ａ，３２ｂは、入力装置を介して設定データをユーザに直接入力させる。ワイヤレスリモコン１７や設定装置１８は、入力部３２ａ，３２ｂに入力された設定データをコントローラ１１に送信する。コントローラ１１は、ワイヤレスリモコン１７や設定装置１８から送信される設定データを受信して記憶部３１に記憶する。そして、コントローラ１１は、記憶部３１に記憶された設定データを、通信ユニット１２を介して照明装置１３に送信する。
【００２４】
なお、入力部３２ａ，３２ｂは、設定データの入力をユーザから直接受け付ける代わりに、外部の記憶装置を介して受け付けてもよい。例えば、入力部３２ａ，３２ｂが、照明装置１３の光源として使用可能な複数種類の光源のそれぞれに対して設定データを予め記憶する記憶装置（例えば、インターネット等のネットワーク上のサーバコンピュータ）と接続されているとする。この場合、入力部３２ａ，３２ｂは、画面上で光源の種類をユーザに選択させ、選択された種類に対応する設定データを記憶装置から取得する。あるいは、例えば、入力部３２ａ，３２ｂに、設定データを予め記憶する記憶装置（例えば、メモリカード）が着脱自在に装着されるとする。記憶装置がユーザにより装着された場合、入力部３２ａ，３２ｂは、設定データを記憶装置から取得する。
【００２５】
図２は、通信ユニット１２に接続された照明装置１３（ＬＥＤの場合）の構成を示すブロック図である。
【００２６】
図２において、照明装置１３は、制御ユニット２１、ＬＥＤ電源装置２２、ＬＥＤ光源２３を備える。
【００２７】
制御ユニット２１は、計測部３３ａと調光部３４ａとを備える。
【００２８】
制御ユニット２１の計測部３３ａは、ＬＥＤ光源２３の累積点灯時間を計測（カウント）する。ＬＥＤ光源２３の交換時には、この累積点灯時間のカウントはリセットされる。
【００２９】
制御ユニット２１の調光部３４ａは、通信ユニット１２と有線通信を行い、コントローラ１１から送信される設定データを、通信ユニット１２を介して受信する。調光部３４ａは、受信した設定データにより設定されたパターンに合わせて、計測部３３ａで計測された累積点灯時間に対応するＬＥＤ光源２３の調光率を求める。そして、調光部３４ａは、求めた調光率でＬＥＤ光源２３を調光する。具体的には、調光部３４ａは、求めた調光率を示すＰＷＭ（パルス幅変調）調光信号をＬＥＤ電源装置２２に対して出力する。なお、調光部３４ａは、通信ユニット１２から消灯指令を受信した場合は、調光率０％の消灯信号を出力し、点灯指令を受信した場合のみ、上記ＰＷＭ調光信号を出力する。
【００３０】
ＬＥＤ電源装置２２は、制御ユニット２１からのＰＷＭ調光信号に従い、ＬＥＤ光源２３を点灯又は消灯させたり、調光したりする。
【００３１】
ＬＥＤ光源２３は、ＬＥＤチップを搭載した光源で、ＬＥＤ電源装置２２により駆動される。
【００３２】
上記のように、制御ユニット２１は、通信ユニット１２から設定データを受信すると、受信した設定データを解析し、解析結果に基づき、ＬＥＤ電源装置２２に対して出力しているＰＷＭ調光信号を変化させることで、ＬＥＤ光源２３の明るさを変化させる。制御ユニット２１は、ＬＥＤ光源２３の累積点灯時間に応じて減少するＬＥＤ光源２３の光束を補うように調光率を上昇させる初期照度補正機能を備える。
【００３３】
図３は、通信ユニット１２に接続された照明装置１３（蛍光灯の場合）の構成を示すブロック図である。
【００３４】
図３において、照明装置１３は、制御ユニット２１、インバータ２４、蛍光ランプ２５を備える。
【００３５】
制御ユニット２１は、計測部３３ｂと調光部３４ｂとを備える。
【００３６】
制御ユニット２１の計測部３３ｂは、蛍光ランプ２５の累積点灯時間を計測（カウント）する。蛍光ランプ２５の交換時には、この累積点灯時間のカウントはリセットされる。
【００３７】
制御ユニット２１の調光部３４ｂは、通信ユニット１２と有線通信を行い、コントローラ１１から送信される設定データを、通信ユニット１２を介して受信する。調光部３４ｂは、受信した設定データにより設定されたパターンに合わせて、計測部３３ｂで計測された累積点灯時間に対応する蛍光ランプ２５の調光率を求める。そして、調光部３４ｂは、求めた調光率で蛍光ランプ２５を調光する。具体的には、調光部３４ｂは、求めた調光率を示すＰＷＭ調光信号をインバータ２４に対して出力する。なお、調光部３４ｂは、通信ユニット１２から消灯指令を受信した場合は、調光率０％の消灯信号を出力し、点灯指令を受信した場合のみ、上記ＰＷＭ調光信号を出力する。
【００３８】
インバータ２４は、制御ユニット２１からのＰＷＭ調光信号に従い、蛍光ランプ２５を点灯又は消灯させたり、調光したりする。
【００３９】
蛍光ランプ２５は、インバータ２４により駆動される。
【００４０】
上記のように、制御ユニット２１は、通信ユニット１２から設定データを受信すると、受信した設定データを解析し、解析結果に基づき、インバータ２４に対して出力しているＰＷＭ調光信号を変化させることで、蛍光ランプ２５の明るさを変化させる。制御ユニット２１は、蛍光ランプ２５の累積点灯時間に応じて減少する蛍光ランプ２５の光束を補うように調光率を上昇させる初期照度補正機能を備える。
【００４１】
図２の照明装置１３のＬＥＤ光源２３と図３の照明装置１３の蛍光ランプ２５とでは、累積点灯時間に応じたランプ光束の減衰率が異なるため、制御ユニット２１は初期照度補正を行う際に調光率の上昇のしかたを変える必要がある。また、図２の照明装置１３（ＬＥＤの場合）においても、ＬＥＤチップの製造メーカや仕様によって、累積点灯時間に応じたランプ光束の減衰率が異なるため、制御ユニット２１は初期照度補正を行う際に調光率の上昇のしかたを変える必要がある。即ち、制御ユニット２１は、光源の種類や製品（型）によって、初期照度補正における調光特性（調光率を変化させるパターン）を変える必要がある。また、光源は交換されることがあるため、制御ユニット２１は、照明装置１３の設置後でも調光特性を変えることができなければならない。
【００４２】
以下では、光源の種類や製品によって、初期照度補正における調光特性を変えるための照明制御システム１０の動作について説明する。
【００４３】
図４は、照明制御システム１０の動作（本実施の形態に係る照明制御方法）を示すフローチャートである。
【００４４】
図４のステップＳ１１において、ワイヤレスリモコン１７や設定装置１８の入力部３２ａ，３２ｂは、照明装置１３ごとに、設定データの入力をユーザから受け付ける。このとき、図２の照明装置１３（ＬＥＤの場合）に対しては、初期照度補正カーブがＬＥＤ光源２３の光束減衰率に応じた調光特性になるような設定データが入力される。また、図３の照明装置１３（蛍光灯の場合）に対しては、初期照度補正カーブが蛍光ランプ２５の光束減衰率に応じた調光特性になるような設定データが入力される。なお、照明装置１３に対して、光源の種類や製品に関わらず、調光率の上昇度が一定となる設定データが入力されてもよい。また、照明装置１３に対して、その他の任意の調光特性を表す設定データが入力されてもよい。
【００４５】
ここで、図５、図６、図７に制御ユニット２１の初期照度補正カーブの例を示す。
【００４６】
図５の初期照度補正カーブは、ＬＥＤ光源２３を光源としたときの制御ユニット２１の調光特性の例である。開始調光率は７０％であり、調光率が１５％上昇するまでは、１６００時間につき調光率が１％上昇する割合で変化し、その後さらに調光率が１４％上昇するまでは、１８５０時間につき調光率が１％上昇する割合で変化し、その後さらに調光率が１％上昇するまでは、１００００時間につき調光率が１％上昇する割合で変化し、その後は、調光率が変化せず（１００％のまま）一定となる。
【００４７】
図６の初期照度補正カーブは、蛍光ランプ２５を光源としたときの制御ユニット２１の調光特性の例である。開始調光率は７０％であり、調光率が１５％上昇するまでは、１６０時間につき調光率が１％上昇する割合で変化し、その後さらに調光率が１５％上昇するまでは、９６０時間につき調光率が１％上昇する割合で変化し、その後は、調光率が変化せず（１００％のまま）一定となる。
【００４８】
図７の初期照度補正カーブは、光源の種類や製品に関わらず、調光率の上昇度が一定となる調光特性の例である。開始調光率は７０％であり、調光率が３０％上昇するまでは、５００時間につき調光率が１％上昇する割合で変化し、その後は、調光率が変化せず（１００％のまま）一定となる。
【００４９】
図８は、図５、図６、図７の初期照度補正カーブを設定する設定データを示す表である。
【００５０】
図８において、器具Ａ（照明装置１３）の設定データでは図５の初期照度補正カーブが設定され、器具Ｂ（照明装置１３）の設定データでは図６の初期照度補正カーブが設定され、器具Ｃ（照明装置１３）の設定データでは図７の初期照度補正カーブが設定されている。
【００５１】
例えば、ワイヤレスリモコン１７や設定装置１８の入力部３２ａ，３２ｂは、画面上で、該当する照明装置１３のアドレスに対し、図８に示すように、初期照度補正を開始する調光率（累積点灯時間が０のときの調光率）と、ある一定の上昇率で変化する調光率の範囲と、１％上昇するのに費やす時間とを一組とした傾きのデータを、設定データとして作成する。
【００５２】
このように、本実施の形態では、設定データとして、光源の累積点灯時間を複数の時間範囲に分けて、時間範囲ごとに当該光源の調光率の変化率を設定するデータを用いている。なお、設定データとして、他の形式のデータを用いても構わない。
【００５３】
図４のステップＳ１２において、ワイヤレスリモコン１７や設定装置１８は、ステップＳ１１で入力された照明装置１３ごとの設定データをコントローラ１１に送信する。
【００５４】
図４のステップＳ１３において、コントローラ１１は、ステップＳ１２で送信された照明装置１３ごとの設定データを受信する。
【００５５】
図４のステップＳ１４において、コントローラ１１は、ステップＳ１３で受信された照明装置１３ごとの設定データを記憶部３１に記憶する。
【００５６】
図４のステップＳ１５において、コントローラ１１は、ステップＳ１４で記憶された照明装置１３ごとの設定データを、通信ユニット１２を介して、それぞれの照明装置１３に送信する。
【００５７】
なお、図４のステップＳ１１〜１５において、コントローラ１１は、記憶部３１に予め記憶された複数の設定データから１つの設定データを選択する操作を、ワイヤレスリモコン１７や設定装置１８の入力部３２ａ，３２ｂを介してユーザから受け付けてもよい。
【００５８】
この場合、例えば、入力部３２ａ，３２ｂは、コントローラ１１から上記複数の設定データの一覧を取得して画面に表示し、照明装置１３ごとに、設定データを選択する操作をユーザから受け付ける。ワイヤレスリモコン１７や設定装置１８は、照明装置１３ごとに、どの設定データが選択されたかを示す信号をコントローラ１１に送信する。コントローラ１１は、ワイヤレスリモコン１７や設定装置１８から送信された信号が示す設定データを、通信ユニット１２を介して、該当する照明装置１３に送信する。
【００５９】
あるいは、例えば、入力部３２ａ，３２ｂは、コントローラ１１から上記複数の設定データに対応する光源の種類や製品の一覧を取得して画面に表示し、照明装置１３ごとに、光源の種類や製品を選択する操作をユーザから受け付ける。ワイヤレスリモコン１７や設定装置１８は、照明装置１３ごとに、どの光源の種類や製品が選択されたかを示す信号をコントローラ１１に送信する。コントローラ１１は、照明装置１３ごとに、ワイヤレスリモコン１７や設定装置１８から送信された信号が示す光源の種類や製品に対応する（適した）設定データを、通信ユニット１２を介して、該当する照明装置１３に送信する。
【００６０】
図４のステップＳ１６において、それぞれの照明装置１３の制御ユニット２１の調光部３４ａ，３４ｂは、ステップＳ１５で送信された設定データを、通信ユニット１２を介して受信する。調光部３４ａ，３４ｂは、受信した設定データを、フラッシュメモリ等のメモリに保存する。
【００６１】
図４のステップＳ１７において、それぞれの照明装置１３の制御ユニット２１の計測部３３ａ，３３ｂは、光源の累積点灯時間を計測する。
【００６２】
図４のステップＳ１８において、調光部３４ａ，３４ｂは、ステップＳ１７で保存された設定データにより定義された複数の時間範囲のうち、ステップＳ１７で計測された現時点における累積点灯時間が該当する時間範囲を特定する。調光部３４ａ，３４ｂは、特定した時間範囲に対し、ステップＳ１７で保存された設定データにより設定された調光率の変化率に合わせて、現時点で使用すべき調光率を求める。そして、調光部３４ａは、求めた調光率に対応するＰＷＭ調光信号をＬＥＤ電源装置２２、インバータ２４等の入力端子に送信することで、ＬＥＤ光源２３、蛍光ランプ２５等の光源を調光する。
【００６３】
図４のステップＳ１７は、例えば、一定の時間間隔で繰り返し実施され、図４のステップＳ１８は、ステップＳ１７が実施される度に実施される。
【００６４】
図４のステップＳ１１〜Ｓ１６は、照明装置１３の光源が交換されるとき、あるいは、その他の任意のタイミングで実施することができる。そのため、照明装置１３が設置された後でも、光源の交換、照明装置１３の用途の変更、周囲環境の変化等、様々な事情に合わせて設定データを変更することにより、適切な初期照度補正を行うことが可能となる。即ち、本実施の形態によれば、運用後に新たに製品化等されたものを含む様々な光源について、適切な初期照度補正を行うことが可能となる。
【００６５】
実施の形態２．
本実施の形態について、主に実施の形態１との差異を説明する。
【００６６】
図９は、本実施の形態に係る照明制御システム１０の構成を示すブロック図である。
【００６７】
図９において、照明制御システム１０は、図１に示した実施の形態１の各機器のほか、上位システムを構成するゲートウェイ１９、中央管理装置２０を備える。図示していないが、本実施の形態において、照明制御システム１０は、コントローラ１１を複数備える。それぞれのコントローラ１１は、実施の形態１と同様に、通信ユニット１２より下位に位置する機器の設定、制御状態の管理を行う。
【００６８】
ゲートウェイ１９は、複数のコントローラ１１の上位側に有線接続され、それぞれのコントローラ１１と有線シリアル通信を行う。また、ゲートウェイ１９は、中央管理装置２０とローカルエリアネットワーク（例えば、Ｅｔｈｅｒｎｅｔ（登録商標））を介して接続され、中央管理装置２０とＬＡＮ通信を行う。即ち、ゲートウェイ１９は、有線シリアル通信とＬＡＮ通信との変換機能を有し、この機能によりデータの送受信を行う。
【００６９】
中央管理装置２０は、パーソナルコンピュータ等、画面（例えば、液晶画面）が備えられた装置である。ユーザは、中央管理装置２０を操作することにより、複数のコントローラ１１及びその下位の各機器を画面上で一括制御及び監視することができる。中央管理装置２０は、空調機器等、他の設備機器と連動することも可能である。また、中央管理装置２０は、ワイヤレスリモコン１７や設定装置１８の入力部３２ａ，３２ｂと同様の入力部３２ｃを備える。入力部３２ｃは、例えば、入力装置（例えば、マウスやキーボード等）を介して設定データをユーザに直接入力させる。中央管理装置２０は、入力部３２ｃに入力された設定データを、ゲートウェイ１９を介してコントローラ１１に送信する。コントローラ１１は、中央管理装置２０から送信される設定データを受信して記憶部３１に記憶する。そして、コントローラ１１は、記憶部３１に記憶された設定データを、通信ユニット１２を介して照明装置１３に送信する。
【００７０】
このように、本実施の形態では、実施の形態１と同様の通信シーケンスを利用し、さらに上位に構成されたシステムにおいて、操作画面による操作、状態モニタを行うことができ、実施の形態１でワイヤレスリモコン１７や設定装置１８で実施していた初期照度補正用の設定データの入力、送信を上位システムから実施することができる。
【００７１】
実施の形態３．
本実施の形態について、主に実施の形態２との差異を説明する。
【００７２】
図１０は、本実施の形態に係る照明制御システム１０の構成を示すブロック図である。
【００７３】
図１０において、照明制御システム１０は、図９に示した実施の形態２と同様の機器を備えるが、コントローラ１１と通信ユニット１２とが一体になっている。
【００７４】
このように、通信ユニット１２の機能をコントローラ１１に搭載することで、コントローラ１１が各機器（照明装置１３、人感センサ１４、照度センサ１５、壁スイッチ１６）とデータの送受信を直接行うことができるようになる。
【００７５】
実施の形態４．
本実施の形態について、主に実施の形態１との差異を説明する。
【００７６】
本実施の形態に係る照明制御システム１０の構成は、図１に示した実施の形態１のものと同様である。
【００７７】
本実施の形態では、ワイヤレスリモコン１７や設定装置１８が備える入力部３２ａ，３２ｂが、設定データを使用する第１モードと設定データを使用しない第２モードとを択一的に選択する操作をユーザから受け付ける。照明装置１３の制御ユニット２１の調光部３４ａ，３４ｂは、入力部３２ａ，３２ｂで第２モードが選択された場合、制御ユニット２１の計測部３３ａ，３３ｂで計測された累積点灯時間に関わらず、予め設定された調光率又は任意のタイミングで設定される調光率でＬＥＤ光源２３、蛍光ランプ２５等の光源を調光する。
【００７８】
図１１は、照明制御システム１０（初期照度補正を有効にした場合）の通信シーケンスの例を示す図である。
【００７９】
図１１の例では、照明装置１３がグループ分けされており、グループ１に属する照明装置１３の制御ユニット２１の初期照度補正を有効にする場合を想定する。
【００８０】
まず、設定装置１８（ワイヤレスリモコン１７でもよいし、実施の形態２及び３の中央管理装置２０でもよい）は、コントローラ１１に対し、グループ１の初期照度補正を有効にする設定信号を送信する。
【００８１】
コントローラ１１は、設定装置１８から設定信号を受信し、受信した設定信号に基づき、グループ１を初期照度補正モード（第１モードの例）に切り替える。
【００８２】
壁スイッチ１６が押下されると、コントローラ１１は、グループ１を点灯させるグループ調光率指令を、グループ１に属する照明装置１３のアドレス宛に送信する。このグループ調光率指令は、例えば、調光率を設定データに基づいて決定するよう指令する値として、ＦＦ％（１６進数）を示す調光率データを含む。
【００８３】
通信ユニット１２は、コントローラ１１からグループ調光率指令を受信し、グループ１に属する照明装置１３に転送する。
【００８４】
グループ１に属する照明装置１３の制御ユニット２１は、通信ユニット１２からグループ調光率指令を受信し、グループ調光率指令に含まれる調光率データに従って、初期照度補正を行う。
【００８５】
その後、壁スイッチ１６が押下されると、コントローラ１１は、グループ１を消灯させるグループ調光率指令を、グループ１に属する照明装置１３のアドレス宛に送信する。このグループ調光率指令は、例えば、調光率を直接指令する値として、００％（１６進数）を示す調光率データを含む。
【００８６】
通信ユニット１２は、コントローラ１１からグループ調光率指令を受信し、グループ１に属する照明装置１３に転送する。
【００８７】
グループ１に属する照明装置１３の制御ユニット２１は、通信ユニット１２からグループ調光率指令を受信し、グループ調光率指令に含まれる調光率データに従って、ＬＥＤ光源２３、蛍光ランプ２５等の光源を消灯させる。
【００８８】
図１２は、照明制御システム１０（初期照度補正を無効にした場合）の通信シーケンスの例を示す図である。
【００８９】
図１２の例では、照明装置１３がグループ分けされており、グループ１に属する照明装置１３の制御ユニット２１の初期照度補正を無効にする場合を想定する。
【００９０】
まず、設定装置１８（ワイヤレスリモコン１７でもよいし、実施の形態２及び３の中央管理装置２０でもよい）は、コントローラ１１に対し、グループ１の初期照度補正を無効にする設定信号を送信する。
【００９１】
コントローラ１１は、設定装置１８から設定信号を受信し、受信した設定信号に基づき、グループ１を調光率固定モード（第２モードの例）に切り替える。
【００９２】
壁スイッチ１６が押下されると、コントローラ１１は、グループ１を点灯させるグループ調光率指令を、グループ１に属する照明装置１３のアドレス宛に送信する。このグループ調光率指令は、例えば、調光率を直接指令する値として、８Ｃ％（１６進数）を示す調光率データを含む。ここでは、調光率を指令する値を、実際の調光率×ｎ（本例ではｎ＝２）とする。よって、８Ｃ％は調光率７０％を意味する。
【００９３】
通信ユニット１２は、コントローラ１１からグループ調光率指令を受信し、グループ１に属する照明装置１３に転送する。
【００９４】
グループ１に属する照明装置１３の制御ユニット２１は、通信ユニット１２からグループ調光率指令を受信し、グループ調光率指令に含まれる調光率データに従って、ＬＥＤ光源２３、蛍光ランプ２５等の光源を調光率７０％で点灯させる。
【００９５】
その後、壁スイッチ１６が押下されると、コントローラ１１は、グループ１を消灯させるグループ調光率指令を、グループ１に属する照明装置１３のアドレス宛に送信する。このグループ調光率指令は、例えば、調光率を直接指令する値として、００％（１６進数）を示す調光率データを含む。
【００９６】
通信ユニット１２は、コントローラ１１からグループ調光率指令を受信し、グループ１に属する照明装置１３に転送する。
【００９７】
グループ１に属する照明装置１３の制御ユニット２１は、通信ユニット１２からグループ調光率指令を受信し、グループ調光率指令に含まれる調光率データに従って、ＬＥＤ光源２３、蛍光ランプ２５等の光源を消灯させる。
【００９８】
なお、照明装置１３の制御ユニット２１は、調光率固定モードにおいても累積点灯時間のカウントを実施し、初期照度補正モードに切り替わった場合に、累積点灯時間のカウント値から初期照度補正を行えるようにしておく。
【００９９】
本実施の形態によれば、初期照度補正を行うかどうかをユーザが任意に決めることができる。
【０１００】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１０１】
１０  照明制御システム、１１  コントローラ、１２  通信ユニット、１３  照明装置、１４  人感センサ、１５  照度センサ、１６  壁スイッチ、１７  ワイヤレスリモコン、１８  設定装置、１９  ゲートウェイ、２０  中央管理装置、２１  制御ユニット、２２  ＬＥＤ電源装置、２３  ＬＥＤ光源、２４  インバータ、２５  蛍光ランプ、３１  記憶部、３２ａ，３２ｂ，３２ｃ  入力部、３３ａ，３３ｂ  計測部、３４ａ，３４ｂ  調光部。
【図１】
2013165004.tif 000003
【図２】
2013165004.tif 000004
【図３】
2013165004.tif 000005
【図４】
2013165004.tif 000006
【図５】
2013165004.tif 000007
【図６】
2013165004.tif 000008
【図７】
2013165004.tif 000009
【図８】
2013165004.tif 000010
【図９】
2013165004.tif 000011
【図１０】
2013165004.tif 000012
【図１１】
2013165004.tif 000013
【図１２】
2013165004.tif 000014